(57)【要約】      （修正有）【課題】タングステン電球台の係止掛合設計により、タングステン電球が取り外しできない安全構造である混合装飾のストリングライト構造を提供する。【解決手段】ストリングライトは、前プラグ１と、前プラグに連接する後コンセント２、整流器４、及びタングステン電球ストリングライト３、ＬＥＤ電球ストリングライト５等から構成される。主に該前プラグの出力端上に二本の第一出力線６を連接し、該二本の第一出力線は複数のタングステン電球を繋いで環形のタングステン電球ストリングライトを形成し、且つタングステン電球ストリングライトの最前タングステン電球と最後尾タングステン電球は、該二本の前プラグの第一出力線と連接する箇所に二本の第二出力線８があり、該二本の第二出力線はそれぞれ最後尾コンセントと整流器に連接する。次に該整流器上の二つの出力端と複数のＬＥＤ電球を繋いで環形のＬＥＤ電球ストリングライトを形成する。【選択図】図１
0003148524.tif 000002
【実用新案登録請求の範囲】
【請求項１】
一つの前プラグ、及び該前プラグと連接する後コンセントを含む混合装飾のストリングライト構造において、
該前プラグの出力端は一組のタングステン電球ストリングライトと、整流器を通過する一組のＬＥＤ電球ストリングライトを相互に連接し、該タングステン電球ストリングライト上には複数のタングステン電球を設置し、また該ＬＥＤ電球ストリングライト上には複数のＬＥＤ電球を設置することを特徴とする混合装飾のストリングライト構造。
【請求項２】
前記前プラグは、出力端上で二本の第一出力線を連接し、該二本の第一出力線とこれらタングステン電球を繋いで環形のタングステン電球ストリングライトを形成し、且つタングステン電球ストリングライトの最前タングステン電球と最後尾タングステン電球は、該前プラグの第一出力線の連接点上において、二本の第二出力線を有し、該二本の第二出力線は、それぞれ後コンセントと整流器を連接し、次に該整流器上の二つの出力端とこれらのＬＥＤ電球ストリングライトで環形のＬＥＤ電球ストリングライトを形成することを特徴とする請求項１に記載の混合装飾のストリングライト構造。
【請求項３】
前記後コンセントは、その第二出力線が整流器と第二出力線が連接する箇所で連接することを特徴とする請求項２に記載の混合装飾のストリングライト構造。
【請求項４】
前記タングステン電球ストリングライトと、ＬＥＤ電球ストリングライトの電球は、互い違いに設置することを特徴とする請求項１または２に記載の混合装飾のストリングライト構造。
【請求項５】
前記タングステン電球ストリングライトは、複数のコンセントを設置し、また各タングステン電球は一端のライト体を各コンセント内に差し込んで結合するもので、
各コンセントの内縁奥箇所の壁面には一つの係止部を凸設し、また該ライト体の外端の差込脚の縁箇所にはやや湾曲し弾性を具えた掛合部を成型し、組立時には、該ライト体の掛合部を該係止部箇所に嵌合し、該タングステン電球を該コンセントに結合した時、任意に外れず、誤って直流電流（ＤＣ）のＬＥＤ電球を交流電流（ＡＣ）のタングステン電球台に設置して危険が発生するのを防止し、使用上の安全性を高めることを特徴とする請求項１または２に記載の混合装飾のストリングライト構造。
【考案の詳細な説明】
【技術分野】
【０００１】
本考案は、ストリングライトに関するもので、特にタングステン電球とＬＥＤ電球を混合装飾したストリングライトに係る。
【背景技術】
【０００２】
各種イベントを盛り上げるために、通常壁やクリスマスツリー、装飾物等物体上にストリングライトを飾る。現在のストリングライトはタングステン電球（即ち普通の電球）ストリングライトと、ＬＥＤ電球ストリングライトの二種に分けられる。そのうち、タングステン電球ストリングライトの電球は暖かなイメージを与える効果があるが、電気消費量は大きく、エネルギー節約と環境保護に良くない。またＬＥＤ電球ストリングライトは、エネルギーを節約するが、ＬＥＤは冷光源であるため、場所に依っては暖かなイメージを与えることができない。特に雪が降る室外で、ＬＥＤの冷光源は雪を溶かす作用がないので、降ってくる雪がライトに積もって覆ってしまい使用効果が悪い。また上述の二種のストリングライトの效果は単一であり、改善の必要がある。他に一般のタングステン電球ライトをストリングライトのコンセント上に結合した場合、回したり抜いたりするだけで簡単に外すことができる。そのため、子どもが遊びで抜いたり、使用者が電球を交換したりする時に、誤って直流電流（ＤＣ）のＬＥＤ電球を交流電流（ＡＣ）のタングステン電球のコンセントに設置してしまう危険があり、安全上問題がある。
【考案の開示】
【考案が解決しようとする課題】
【０００３】
解決しようとする問題点として、ストリングライトはタングステン電球ストリングライトと、ＬＥＤ電球ストリングライトがそれぞれ別で効果は単一であるため、一方だけの使用では効果が限られる点であり、別にＬＥＤ電球をタングステン電球のコンセントに誤って設置した場合、安全上の危険が発生する点である。
【課題を解決するための手段】
【０００４】
本考案は、前プラグと、前プラグに連接する後コンセント、整流器、及びタングステン電球ストリングライト、ＬＥＤ電球ストリングライト等から構成される。主に該前プラグの出力端上に二本の第一出力線を連接し、該二本の第一出力線は複数のタングステン電球を繋いで環形のタングステン電球ストリングライトを形成し、且つタングステン電球ストリングライトの最前タングステン電球と最後尾タングステン電球は、該二本の前プラグの第一出力線と連接する箇所に二本の第二出力線があり、該二本の第二出力線はそれぞれ最後尾コンセントと整流器に連接する。次に該整流器上の二つの出力端と複数のＬＥＤ電球を繋いで環形のＬＥＤ電球ストリングライトを形成することを最も主要な特徴とする。
【考案の効果】
【０００５】
本考案の混合装飾のストリングライト構造は、冷光、暖光の視覚効果を具え、タングステン電球台の係止掛合設計により、タングステン電球が取り外しできない安全構造であるという利点がある。
【考案を実施するための最良の形態】
【０００６】
上述の問題を解決するため、同時に冷光暖光効果を具え、視覚効果を高める混合装飾のストリングライト構造を提供することを本考案の目的とする。
【０００７】
ストリングライト上の電球を設置する際、タングステン電球はストリングライトコンセント上にしっかりと結合して任意に外れないため、タングステン電球を交換する際に誤って直流電流（ＤＣ）のＬＥＤ電球を交流電流（ＡＣ）のタングステン電球台に設置してしまい、危険が発生するのを防止し、安全性を高めることを本考案の別の目的とする。
【０００８】
上述の目的のため、本考案の混合装飾のストリングライト構造は、一つの前プラグ、及び該前プラグと連接する後コンセントを含む。該前プラグの出力端には一組のタングステン電球ストリングライトと整流器を通過する一組のＬＥＤ電球ストリングライトを連接する。そのうち、該前プラグの出力端上には二本の第一出力線を連接し、該二本の第一出力線と複数のタングステン電球を繋いで環形のタングステン電球ストリングライトを形成する。更にタングステン電球ストリングライトの最前タングステン電球と最後尾タングステン電球は、該前プラグの第一出力線の連接する箇所に二本の第二出力線を有し、該二本の第二出力線はそれぞれ最後尾コンセントと整流器に連接し、次に該整流器上の二つの出力端と複数のＬＥＤ電球を繋いで環形のＬＥＤ電球ストリングライトを形成する。また該タングステン電球ストリングライトは各該タングステン電球を差し込むコンセント内縁奥の壁面には一つの係止部を凸設し、各該タングステン電球のライト台外端の差込脚の端縁箇所はやや湾曲して弾性を具えた掛合部を成形する。組立時、該ライト体の掛合部を係止部箇所に嵌合し、タングステン電球を該コンセントに結合した時、任意に外れなくなり、使用上の安全性を高める。
【０００９】
本考案の効果として、ストリングライトの前プラグの出力端に一組のタングステン電球ストリングライトと、整流器を通過して連接した一組のＬＥＤ電球ストリングライトを連接することにより、タングステン電球とＬＥＤ電球が結合し、暖光と冷光の結合効果を具え、使用効果は特別であり、且つ構造が簡単合理的、且つエネルギーの節約と環境保護を併せ持ち、同時に弾性掛合方式により、タングステン電球をコンセントに結合され安全性を高める効果を具える。
【実施例】
【００１０】
図１から図５に示すとおり、本考案の一種の混合装飾のストリングライト構造は、前プラグ１と、前プラグ１と連接する後コンセント２、整流器４、タングステン電球ストリングライト３とＬＥＤ電球のストリングライト５等を含む。そのうち、
【００１１】
前プラグ１の出力端上には二本の第一出力線６，７を連接し、該二本の第一出力線６，７は複数のタングステン電球を繋いで連接した環形のタングステン電球ストリングライト３を形成する。更に該タングステン電球ストリングライト３の最前タングステン電球３０Ａと最後尾タングステン電球３０Ｂは、該二本の第一出力線６，７と連接する箇所で、二本の第二出力線８，９を連接する。
【００１２】
該後コンセント２は、該二本の第二出力線８，９の一端に設置し、且つ該整流器４を連接し、該整流器４上の両出力端は複数のＬＥＤ電球５０を繋げて連接し、環形のＬＥＤ電球ストリングライト５を構成する。
【００１３】
該タングステン電球ストリングライト３上には複数のコンセント３１を設置し、各該タングステン電球３０の一端を差し込むライト体３２に差し込んで用いる。更に各該コンセント３１の内縁奥箇所の壁面上には一つの係止部３１１を凸設し、また該ライト体３２外端の差込脚３２１縁端にはやや湾曲し且つ弾性を具えた掛合部３２２を成形する。組立時、該ライト体３２の掛合部３２２を該コンセント３１の係止部３１１位置に嵌合し、該タングステン電球３０を該コンセント３１に結合すると任意に外れなくなり、電球を交換する時、直流電流（ＤＣ）のＬＥＤ電球を交流電流（ＡＣ）のタングステン電球台に誤って設置して危険が発生するのを防止し、使用上の安全を高める。
【００１４】
該ＬＥＤ電球ストリングライト５上には複数のコンセント５２が繋がっており、そこに各ＬＥＤ電球５０を差し込んで設置する。尚、ストリングライト構造は一般の公知技術であるため、本文では詳述しない。
【００１５】
上述の構造部品を組み合せ、タングステン電球ストリングライト３とＬＥＤ電球ストリングライト５を混合して環形の装飾ストリングライトにする。これにより、冷光暖光が互い違いに設置された点滅効果を具えるだけでなく、多種の色彩変化がある。同時にクリスマスツリー等造形物上に設置するのに適し、装飾効果を高める。また該タングステン電球３０は弾性嵌合方式でライト体３２をしっかりと確実にコンセント３１上に結合して電球を交換できない構造にするため、良好な安全効果を提供する。
【００１６】
図６に示す本考案のライトストリングはＬＥＤライトとタングステンライトを互い違いに設置して直線のストリングライトを形成する。
【００１７】
勿論、本考案は上述の実施方式に制限されず、基本的に同じ手段に依る本考案の技術效果は、すべて本考案の保護範囲とする。
【図面の簡単な説明】
【００１８】
【図１】本考案の実施方式一の構造指示図である。
【図２】本考案の回路図である。
【図３】本考案のタングステン電球をコンセントに結合した分解指示図である。
【図４】本考案のタングステン電球をコンセントに結合した組立断面図である。
【図５】本考案のタングステン電球をコンセントに結合した組立背面図である。
【図６】本考案の実施方式二の構造指示図である。
【符号の説明】
【００１９】
１        前プラグ
２        後コンセント
３        タングステン電球ストリングライト
３０        タングステン電球
３０Ａ      最前タングステン電球
３０Ｂ      最後尾タングステン電球
３１        コンセント
３１１        係止部
３２        ライト体
３２１        差込脚
３２２        掛合部
４        整流器
５        ＬＥＤ電球ストリングライト
５０        ＬＥＤ電球
５２        コンセント
６        第一出力線
７        第一出力線
８        第二出力線
９        第二出力線
【図１】
0003148524.tif 000003
【図２】
0003148524.tif 000004
【図３】
0003148524.tif 000005
【図４】
0003148524.tif 000006
【図５】
0003148524.tif 000007
【図６】
0003148524.tif 000008